(57)【特許請求の範囲】
【請求項１】
各々が透明又は半透明の材料で形成された雄型（１ａ）と雌型（１ｂ）間に、製造目的のつけ爪よりも大サイズで幅方向と長手方向の２方向に湾曲したブランク材成形空間（２）を備える成形型（１）を使用し、前記雌型（１ｂ）のブランク材成形空間に形状記憶効果を有する光硬化性の材料樹脂（５）を注入する第１工程、
前記雄型（１ａ）と雌型（１ｂ）を組み合わせ、その状態を保持して成形型（１）の外部から前記ブランク材成形空間（２）内の材料樹脂（５）に紫外線を照射してその樹脂を硬化させる第２工程、
材料樹脂が硬化して出来たブランク材（８）を成形型から取り出し、熱を加えて成形板（１０）により平坦に成形する第３工程、
平坦なブランク材から目的の形状、サイズを有する爪チップ（９）を切り出す第４工程、
前記爪チップ（９）を形状記憶効果を利用して湾曲状態に復元させて完成品にする第５工程を経るつけ爪の製造方法。
【請求項２】
前記第４工程での爪チップ（９）の切り出しをトムソン刃を有する切抜き装置を用いて行う請求項１に記載のつけ爪の製造方法。
【請求項３】
前記切り抜き装置として、前記ブランク材（８）を支えるゴム製の、トムソン刃（１２）の設置点（１４）の内側に材料ゴムの除去された盗み部（１５）を有する受けパッドを具備したものを用いる請求項２に記載のつけ爪の製造方法。
【請求項４】
第３工程を経て得られた平坦なブランク材（８）又は第４工程において平坦なブランク材から切り出された爪チップ（９）に対して印刷による装飾を施し、装飾後のブランク材又は爪チップを完成品に仕上げる請求項１〜請求項３のいずれかに記載のつけ爪の製造方法。
【請求項５】
第３工程でのブランク材（８）の平坦化を、ブランク材（８）の裏面に成形板の表面の凹凸が転写されるように行う請求項１〜請求項４のいずれかに記載のつけ爪の製造方法。
【請求項６】
前記成形型（１）として、前記ブランク材成形空間（２）を同一型に複数設けたものを利用する請求項１〜請求項５のいずれかに記載のつけ爪の製造方法。
【請求項７】
前記成形型（１）として、ポリプロピレンで形成されたものを用いる請求項１〜請求項６のいずれかに記載のつけ爪の製造方法。
【請求項８】
前記材料樹脂（５）として、アクリル酸エステル、ウレタンアクリレート、シリカ、アルミナ及び光反応開始剤の溶解分散混合物を用いる請求項１〜請求項７のいずれかに記載のつけ爪の製造方法。
【発明の詳細な説明】
【技術分野】
【０００１】
この発明は、つけ爪の製造方法、詳しくは、多品種少量生産と量産の双方に対応でき、少量生産、量産のどちらにおいても、つけ爪を効率良く安価に製造可能となした製造方法に関する。
【背景技術】
【０００２】
つけ爪製造の従来技術として、例えば、下記特許文献１，２などに記載された方法が知られている。
【０００３】
特許文献１に記載された製造方法は、つけ爪を光硬化性樹脂で作ることを可能にした方法であって、光透過性の成形型を製造する第一工程、前記成形型に光硬化性の樹脂を注入し、成形型の外部から光を照射して注入樹脂を硬化させてつけ爪を製造する第二工程、製造されたつけ爪をユーザの自爪につける第三工程とからなる。
【０００４】
この特許文献１の製造方法では、つけ爪の原型を用いて雄型と雌型の間につけ爪の成形空間（キャビティ）が形成された成形型をまず製造し、次に、その成形型の成形空間に光硬化性樹脂を注入する。そして、その樹脂を光によって硬化させる。
【０００５】
かかる方法で製造されるつけ爪は、硬化後に成形型から取り出し、脱型した爪の縁に連なっている余剰部（成形型の樹脂注入用ゲートに対応した箇所）を切除して仕上げる。仕上げられたつけ爪は、原型を転写した形状であり、これが完成品となる。
【０００６】
なお、この方法で製造したつけ爪は、模様付けなどの装飾が要求される場合には、単品毎にその装飾が施される。
【０００７】
特許文献２に記載されたつけ爪の製造方法も、雄型と雌型を組み合わせた成形型を用いてつけ爪を製造する。この特許文献２の方法は、成形型による成形時に模様を同時に付す
ことを可能にしているが、成形型で成形されたつけ爪は完成品であり、この点が、特許文献１の方法と共通している。
【先行技術文献】
【特許文献】
【０００８】
【特許文献１】特許第４５６５４１９号公報
【特許文献２】特開２０１２−７０９１３号公報
【発明の概要】
【発明が解決しようとする課題】
【０００９】
特許文献１の方法は、成形型の製造時に原型を使用してユーザの爪に合致、或いは近似した形状と大きさを有する成形空間を作り出すため、同一成形型を多様な形状、サイズのつけ爪の製造に利用するのが難しく、多くのユーザの要望を満たすには数多くの成形型が必要になる。
【００１０】
成形型で成形されるつけ爪は、形状、サイズが定まった完成品となるため、形状、サイズを変える要求に対して応えるには要求に合った別の成形型が必要になる。そのことが原因となって製造効率が低下し、１個当たりの製造コストが高くついて製品単価が高くなってしまう。
【００１１】
また、成形型で完成品のつけ爪を成形する方法では、得られたつけ爪に対する装飾も一品毎に行わざるを得ない。
【００１２】
さらに、特許文献１の方法は、成形型に設けた樹脂注入用ゲートから成形空間に材料樹脂を注入する射出成形であるため、成形空間からの空気抜きが不十分になって完成品のつけ爪に気泡が残り易い不具合もある。
【００１３】
また、特許文献２の製造方法は、成形型によるつけ爪の成形時に成形されるつけ爪に対して模様が同時に付されるが、この方法での製造も、成形型で完成品のつけ爪を成形するので、特許文献１の方法と同様に多くのユーザの要望を満たそうとすると数多くの成形型を必要とする。
【００１４】
また、この方法も成形型による成形で完成品が作りだされるため、形状、サイズの異なる製品は、対応した形状、サイズの成形空間を持つ成形型で成形せざるを得ず、製造効率の低下、製品価格の上昇が避けられない。なお、この方法での製造効率は、成形型による成形時に模様をつけることで特許文献１の方法よりも悪くなる可能性がある。
【００１５】
そこで、この発明は、同一成形型を使用して形状、サイズの異なるつけ爪を製造できるようにし、これによって、製造効率の向上、製品単価の引き下げを可能となすことを課題としている。
【課題を解決するための手段】
【００１６】
上記の課題を解決するため、この発明においては、各々が透明又は半透明の材料で形成された雄型と雌型間に、製造目的のつけ爪よりも大サイズで幅方向と長手方向の２方向に湾曲したブランク材成形空間を備える成形型を使用し、前記雌型のブランク材成形空間に形状記憶効果を有する光硬化性の材料樹脂を注入する第１工程、
前記雄型と雌型を組み合わせ、その状態を保持して成形型の外部から前記ブランク材成形空間内の材料樹脂に紫外線を照射してその樹脂を硬化させる第２工程、
材料樹脂が硬化して出来たブランク材を成形型から取り出し、熱を加えて成形板で平坦に成形する第３工程、
平坦なブランク材から目的の形状、サイズを有する爪チップを切り出す第４工程、
前記爪チップを形状記憶効果を利用して湾曲状態に復元させて完成品にする第５工程を経るつけ爪の製造方法を提供する。
【００１７】
第３工程では、必要があればブランク材を平坦に成形する前にそのブランク材に生じたバリを除去する。この第３工程でのブランク材の加熱は、成形板として熱板を用いることで成形と同時に行うことも可能である。
【００１８】
かかる製造方法でのブランク材からの爪チップの切り出しは、トムソン刃を用いた抜き加工などで行うことができる。そのトムソン刃を用いる場合には、工夫されたゴム製の受けパッドを有する切り抜き装置を用いるのがよい。
【００１９】
かかる製造方法は、第３工程を経た平坦なブランク材や第４工程において平坦なブランク材から切り出された爪チップに対して印刷による模様付け、色付けなどの装飾を施すことができる。必要があればその装飾工程を追加し、装飾後のブランク材や爪チップを完成品に仕上げることができる。
【００２０】
かかる製造方法によれば、一組の型にブランク材成形空間を複数設けた成形型を利用することができる。製品管理の面では、親指、人差し指、中指、薬指、小指に対応させた形状、サイズの異なる５種類のブランク材成形空間を備える成形型を利用すると好ましい。
【００２１】
また、この成形型は、ガラス製のものも考えられるが、それよりは離型性に優れた樹脂、例えば、ポリプロピレンで形成されるものが、破損し難く、つけ爪の材料となる樹脂の付着も起こらなくて好ましい。
【００２２】
成形型に設けるブランク材成形空間は、上述した通り、製造目的のつけ爪よりも大サイズで幅方向（人の爪の表面に沿う方向）と長手方向の２方向に湾曲しているものとする。
【００２３】
成形型は、複数の爪チップを切り出すことのできるブランク材を、ひとつの成形空間によって成形し得るブランク材成形空間を備えたものであってもよい。
【００２４】
つけ爪は、幅方向と長手方向に単純に湾曲するだけでなく、湾曲面の曲率半径が爪先側で小さくなったものが多い。このようなものについても、例えば、左右の手の同じ指の爪のブランク材を成形する空間が、同一軸線上に連なって配置された形状のブランク材成形空間を設けてその成形空間でブランク材を成形すると、得られたブランク材から左右の手の同じ指の爪に装着する２個の爪チップを切り出すことができる。
【００２５】
このほか、第３工程でのブランク材の平坦化は、ブランク材の表裏が判別可能となるように行うと好ましい。例えば、平坦化によってブランク材の裏面に成形板の表面の凹凸が転写されるようにしておけば、その凹凸の有無によって、表面に装飾を施すときなどにブランク材の表、裏を区別することができる。
【００２６】
なお、つけ爪の材料となる形状記憶効果を有する光硬化性の材料樹脂としては、例えば、(株)幕張フォトケミクス社製、製品名：ＭＰＩ−ＢＳ−２３７Ｄがある。
【発明の効果】
【００２７】
この発明の製造方法によれば、成形型で製造目的のつけ爪よりも大サイズで幅方向と長手方向の２方向に湾曲したブランク材を成形し、そのブランク材から目的の形状、サイズ（これは完成品の形状ではない）を有する爪チップを切り出すので、同一成形型で成形して得たブランク材から、形状、サイズの異なる爪チップを切り出すことができ、成形型の共通化が図れる。
【００２８】
その共通化により成形型の交換などの手間が省かれて製造効率が高まり、成形型の使用数も減少するため製造コストが下がり、安価な製品を提供することが可能になる。
【００２９】
また、雌型のブランク材成形空間に材料樹脂を注入した後に雄型を組み合わせて成形型による材料樹脂の成形を行うので、ブランク材成形空間に対する空気滞留が起こらず、製品に気泡ができることも回避され、製品の不良発生率が小さくなって製造の歩留まりが向上する。
【００３０】
なお、第３工程で平坦化したブランク材からの爪チップの切り出しをトムソン刃を用いた抜き加工で行う場合には、目的の形状、サイズに合ったトムソン刃が必要であるが、トムソン刃は成形型よりも安価に、簡単に作れる。従って、この方法での切り出しでも、製品単価の引き下げの目的は達成される。
【図面の簡単な説明】
【００３１】
【図１】この発明の製造方法に利用する成形型の一例を示す斜視図である。
【図２】図１の成形型を図１のＡ−Ａ線に沿って切断し、その成形型の雄型と雌型を分離した状態の断面図である。
【図３】図１の成形型を図１のＡ−Ａ線に沿って切断し、その成形型の雄型と雌型を組み合わせた状態の断面図である。
【図４】図１の成形型の図１のＢ−Ｂ線に沿った断面図である。
【図５】成形型の保持に用いるクランプ装置の一例を示す斜視図である。
【図６】図５のクランプ装置の側面図である。
【図７】紫外線硬化装置による成形型内材料樹脂の硬化工程を示す斜視図である。
【図８】成形型から取り出されたブランク材の一例を示す斜視図である。
【図９】ブランク材を成形板を用いて平坦に成形する工程を示す斜視図である。
【図１０】平坦化されたブランク材の一例を示す平面図であり、（ａ）は表面の一例を、（ｂ）は裏面の一例をそれぞれ表す。
【図１１】平坦化されたブランク材から切り出された爪チップの平面図であり、（ａ）は表面の一例を、（ｂ）は裏面の一例をそれぞれ表す。
【図１２】爪チップを形状復元させて得られたつけ爪の完成品の一例を示す斜視図である。
【図１３】トムソン刃を用いた切り抜き装置の弾性受けパッドを示す斜視図である。
【図１４】図１３の弾性受けパッドとトムソン刃の関係を誇張して示す断面図である。
【発明を実施するための形態】
【００３２】
以下、添付図面の図１〜図１４に基づいて、この発明のつけ爪の製造方法の実施の形態を説明する。
【００３３】
図１〜図４は、この発明の製造方法で使用する成形型の一例を示している。例示の成形型１は、雄型１ａと雌型１ｂとからなる。その雄型１ａと雌型１ｂは、透明又は半透明で離型性に優れ、つけ爪の材料樹脂の付着が殆ど起こらない樹脂、例えば、ポリプロピレンで形成されている。ポリプロピレンは、シリコン材を適量添加することで材料樹脂の剥離性を高めることができ、そのシリコン材が添加されたものを用いることもできる。
【００３４】
この成形型１の雄型１ａと雌型１ｂの間には、製造目的のつけ爪よりも大サイズのブランク材を成形するブランク材成形空間２（図２〜図４参照）が設けられている。そのブランク材成形空間２は、図２〜図４に示すように、幅方向（図１のＡ−Ａ線に沿った方向）と長手方向（図１のＢ−Ｂ線に沿った方向）の２方向に湾曲している。
【００３５】
図示の成形型１に設けられたブランク材成形空間２は、爪先側の湾曲面の曲率半径が爪の根元側の湾曲面の曲率半径よりも小さいつけ爪用のブランク材を成形するものであって
、当該空間の長手方向の一端側では、湾曲面の曲率半径が他端側での曲率半径よりも小さくなってフィット性のよいつけ爪のブランク材を成形できるものになっている。
【００３６】
例示の成形型１には、サイズの異なる５種類のブランク材成形空間２が設けられている。その５種類のブランク材成形空間２は、図２の左側から順に、親指用つけ爪のブランク材を成形する空間、人差し指用つけ爪のブランク材を成形する空間、中指用つけ爪のブランク材を成形する空間、薬指用つけ爪のブランク材を成形する空間、小指用つけ爪のブランク材を成形する空間となっており、それぞれの空間のサイズは異なっている。
【００３７】
図示の成形型１に設けられたブランク材成形空間２は、得られるブランク材から１個の爪チップを切り出すものになっているが、使用する成形型は、１個のブランク材から複数個の爪チップを切り出せるものであってもよい。
【００３８】
ブランク材成形空間２が、左右の同じ指に装着されるつけ爪用のブランク材を一括して成形できるものになっていれば（同一形状の２つのブランク材成形空間が同一軸線上に連なって配置された形状のブランク材成形空間であれば、その一括成形が可能）、１個のブランク材から２個の爪チップを切り出すことができる。
【００３９】
なお、成形型１には、雄型１ａと雌型１ｂを位置決めする部材を備えさせておくのがよい。例示の成形型１には、位置決め部材３として、雄型１ａと雌型１ｂに、図２、図３に示したガイドピン３ａとそのガイドピンを受け入れるガイド孔３ｂを対応して設けており、それを利用して雄型と雌型の組み合わせを容易に行うことができる。
【００４０】
位置決め部材３は、凹部と凸部を組み合わせたものなども考えられ、ガイドピンとガイド孔に限定されない。
【００４１】
図５、図６は、成形型１を保持するクランプ装置４の一例を示している。成形型１は、雌型１ｂのブランク材成形空間につけ爪用の材料樹脂５を注入した後に雄型１ａを雌型１ｂに位置決めして突き合せ、その突き合せ状態を保持して材料樹脂５を硬化させる硬化装置に送り込む。
【００４２】
その作業は、成形型１をクランプ装置で保持して行うと安定性に優れ、作業もし易い。
そこで、図示した如きクランプ装置４を使用することが推奨される。
【００４３】
図示のクランプ装置４は、ベース４ａ上に緩衝材４ｂを介して型支持板４ｃを設け、さらに、型支持板４ｃの両側に型支持板４ｃの上面よりも高い位置に支持面を有する支持部材４ｄを配置してその２つの支持部材４ｄ上にそれぞれトグルクランプ４ｅを設置し、片方の支持部材４ｄ上のトグルクランプ４ｅのクランプ爪に型押え枠４ｆを連結したものになっている。緩衝材４ｂは、クランプ圧から成形型を保護する働きをする。
【００４４】
型支持板４ｃ上には、型支持板４ｃ上に載置される成形型を２方向に位置決めするストッパ４ｇ、４ｈが設けられている。
【００４５】
また、型支持板４ｃの上面は好ましい形態として鏡面加工されており、型支持板４ｃ上に載置された成形型の上方から照射される紫外線を反射して照射効率を高めることができる。
【００４６】
このクランプ装置４は、型押え枠４ｆをクランプ爪が連結された側のトグルクランプ４ｅのヒンジ部を支点にして起立させ、この状態で型支持板４ｃ上に成形型１をセットする
。その後、型押え枠４ｆを倒し、その型押え枠４ｆのヒンジ部のある側とは反対側をもう一方のトグルクランプ４ｅで上から押えつける。
【００４７】
これにより、型支持板４ｃ上に成形型１が固定される。そこで、成形型１をクランプ装置４と一緒に材料樹脂の硬化工程に送り込んでブランク材成形空間２内の材料樹脂５を硬化させる。
【００４８】
型押え枠４ｆの片側は、支持部材４ｄ上にブラケットを立設し、そのブラケットに単純なヒンジ軸を用いてヒンジ結合させても構わないが、図のように、型押え枠４ｆのヒンジ部がトグルクランプ４ｅで構成されていると、トグルクランプ４ｅに含まれた操作レバーを利用して型押え枠４ｆの起伏操作を安定して行うことができる。
【００４９】
次に、この発明において使用するつけ爪の材料樹脂５は、形状記憶効果を有する光硬化性（紫外線硬化型）の樹脂とする。先に挙げた(株)幕張フォトケミクス社製、製品名：ＭＰＩ−ＢＳ−２３７Ｄは、アクリル酸エステル、ウレタンアクリレート、シリカ、アルミナ及び光反応開始剤の溶解分散混合物であり、この発明の方法での材料樹脂として好適に利用できる。
【００５０】
その材料樹脂５を、図２に鎖線で示すように、樹脂注入機６を使用して雌型１ｂのブランク材成形空間２に所要量注入する（第１工程）。
【００５１】
その後、図３に示すように、雌型１ｂ上に雄型１ａを突き合わせ、こうして組み合わされた成形型１を、図５、図６に示したようなクランプ装置４にセットしてそのクランプ装置４と共に紫外線硬化装置７（図７参照）に送り込む。
【００５２】
紫外線硬化装置７は、成形型１をセットしたクランプ装置４をコンベヤ（図示せず）で
搬送し、その搬送の途中に、紫外線硬化装置７の外ケース７ａの内部に配置された紫外線ランプ７ｂから成形型１に上から紫外線を照射してブランク材成形空間２内の材料樹脂５を硬化させる（第２工程）。
【００５３】
なお、紫外線硬化装置７の外ケース７ａに囲われた走路の入口と出口は紫外線の外部への洩れを遮る柔軟なカーテン（図示せず）で塞がれている。そのカーテンはクランプ装置４の装置内への搬入と搬出を妨げないものが設置されている。
【００５４】
次に、材料樹脂５が硬化してできたブランク材８（図８参照）を成形型１から取り出し、必要に応じてブランク材に生じたバリを除去し、その後、そのブランク材８を必要な温度に加熱し、図９に示すように、２個を対とする成形板１０で挟みつけて平坦な形状にする（第３工程）。ブランク材８の加熱は、オーブンで約１８０℃に９０秒間加熱する方法で行ったが、成形板１０として熱板を用いてその熱板で加熱しながら平坦化の成形を行うこともできる。
【００５５】
この第３工程では、下側の成形板として表面に縞模様などの凹凸があるものを用いてその下側の成形板の表面の凹凸を平坦化されたブランク材８Ａ（図１０参照）の裏面に転写することができる。
【００５６】
第３工程を経て平坦なブランク材８Ａを得たら、そのブランク材８Ａからトムソン刃などを有する切り抜き装置を利用して目的の爪チップ９（図１１参照）を切り出す（第４工程）。
【００５７】
トムソン刃を用いた切り抜き装置の一例を図１３、図１４に示す。図１４に示すように、トムソン刃１２は両刃の切れ刃となっている。そのトムソン刃１２は、ゴム製の受けパッド１３の表面から３ｍｍ程度沈んだ位置に刃先がある。そのトムソン刃、即ち、両刃の切れ刃による抜き加工では、トムソン刃１２の刃先よりも内側部分（図１４の１２ａ）が被切断材に入り込んで被切断材を内向きに圧縮する。
【００５８】
その圧縮の程度によっては、爪チップ９の周縁に皺が生じるなどして精度のよい切り抜きがなされないことがある。
【００５９】
そこで、図１３、図１４の切り抜き装置は、ブランク材８Ａを支えるゴム製の受けパッド１３のトムソン刃設置点１４よりも内側に材料ゴムの除去された盗み部１５を設けている。１６は平坦化したブランク材８Ａのセット溝、１７は受けパッド１３を支えるベース盤である。セット溝１６にセットされた平坦化後のブランク材８Ａは、平板の押圧具１８にセット溝を有する枠と共に押し下げられてトムソン刃１２による切断がなされる。
【００６０】
このとき前記盗み部１５があると、受けパッドの肉部が盗み部１５に逃げ、これにより受けパッド１３のブランク材支持領域が盗み部１５の中心側に向かって変位するので、トムソン刃によって内向き圧縮されたブランク材８Ａの被切断点が圧縮力を吸収する方向に逃げ易く、これにより、内向き圧縮の力が減衰されて爪チップ９の切り抜きが精度良くなされる。
【００６１】
図示の成形型で成形したブランク材８から切り出される爪チップ９は、親指用、人差し指用、中指用、薬指用、小指用のそれぞれに適合した形状、サイズを有するが、図８〜図１１にはそのうちの１種類の爪チップのみを代表例として示した。
【００６２】
最後に、第４工程を経た爪チップを形状記憶効果を利用して湾曲状態（膨らみのある形状）に復元させて完成品のつけ爪１１（図１２参照）に仕上げる（第５工程）。
【００６３】
第５工程での爪チップ９の湾曲形状の復元は、材料樹脂５として形状記憶効果を有するものを使用しているので、所定の温度に加熱するだけの簡単な方法で行える。加熱は、試作品の製造では約１８０℃の熱を１５秒間付与したが、この条件に限定されるものではない。
【００６４】
なお、成形板１０で挟むことによるブランク材の平坦化工程において表裏の判別のためにブランク材８の裏面に凹凸をつけたものは、材料樹脂の形状記憶効果によって第５工程での爪チップの湾曲形状復元時に裏面の凹凸も消失する。
【００６５】
かかる製造方法は、第３工程を経て得られた平坦なブランク材又は第４工程において平坦なブランク材から切り出された平坦な爪チップに対して印刷による模様付けや色付けなどの装飾を施すことができる。印刷による装飾は効率よく行える。必要があればその装飾工程を追加し、第３工程を得た後に装飾されたブランク材を第４工程に送り込むか又は第４工程での切り出し後に装飾された爪チップを仕上げの第５工程に送り込む。
【００６６】
この方法では、一組の型にブランク材成形空間を複数設けた成形型を利用することができる。製品管理の面では、親指、人差し指、中指、薬指、小指に対応させた形状、サイズの異なる５種類のブランク材成形空間を備える成形型を利用すると好ましい。
【００６７】
以上述べたつけ爪の製造方法において成形型に設けるブランク材成形空間２は、製造目的のつけ爪よりもサイズが大きい。従って、同一成形型で成形して得られたブランク材からサイズの異なる爪チップ９を切り出すことができ、サイズ毎の成形型を準備する必要がない。
【００６８】
そのために、成形型の交換の手間が省かれ、製造効率が高まる。ブランク材からの爪チップの切り出しをトムソン刃を用いた抜き加工で行う場合にはサイズに合ったトムソン刃の交換を要するが、そのトムソン刃の交換は、何種類かの異サイズトムソン刃をロータリーホルダで保持し、ホルダの回転で位置を切り替えるなどの簡単な方法で行える。
【００６９】
従って、成形型の交換に比べれば作業の手間が少なくて済む。また、トムソン刃は成形型よりも安価に、簡単に作れる。これにより、本発明のつけ爪の製造方法によれば従来法よりも製造効率が高まり、製造コストが下がって安価な製品を提供することが可能になる。
【００７０】
なお、この発明の方法で製造したつけ爪は、従来品と同様、ネイル用両面テープなどを使ってユーザの自爪に装着される。
【００７１】
先に挙げた(株)幕張フォトケミクス社製、ＭＰＩ−ＢＳ−２３７Ｄを樹脂材料として用いて製造したつけ爪は、３０℃〜３５℃程度の温度で変形可能な状態に軟化するので、完成したつけ爪がユーザーの指の爪の反り（湾曲形状）と完全に一致していなくても、そのつけ爪をユーザーの指の爪に装着することで湾曲形状のずれはユーザの体温によって補正され、フィット性に優れたものになる。
【符号の説明】
【００７２】
１          成形型
１ａ        雄型
１ｂ        雌型
２          ブランク材成形空間
３          位置決め部材
３ａ        ガイドピン
３ｂ        ガイド孔
４          クランプ装置
４ａ        ベース
４ｂ        緩衝材
４ｃ        型支持板
４ｄ        支持部材
４ｅ        トグルクランプ
４ｆ        型押え枠
４ｇ、４ｈ  ストッパ
５          材料樹脂
６          樹脂注入機
７          紫外線硬化装置
７ａ        外ケース
７ｂ        紫外線ランプ
８          ブランク材
８Ａ        平坦化されたブランク材
９          ブランク材から切り出された爪チップ
１０        成形板
１１        完成品のつけ爪
１２        トムソン刃
１３        受けパッド
１４        トムソン刃設置点
１５        盗み部
１６        ブランク材のセット溝
１７        ベース盤
１８        押圧具
【要約】
【課題】同一成形型を使用して形状、サイズの異なるつけ爪を製造できるようにし、これによって、製造効率の向上、製品単価の引き下げを可能となすことを課題とする。
【解決手段】透明又は半透明の材料で形成された雄型１ａと雌型１ｂ間に、製造目的のつけ爪よりも大サイズのブランク材成形空間２を備えた成形型１を使用し、雌型１ｂに形状記憶効果を有する光硬化性の材料樹脂５を注入する第１工程、前記雄型と雌型の組み合わせ状態を保持して成形型１の外部から型の内部の材料樹脂に紫外線を照射してその材料樹脂を硬化させる第２工程、硬化したブランク材を成形型から取り出して成形板で平坦に成形する第３工程、平坦なブランク材から目的の形状、サイズを有する爪チップを切り出す第４工程、前記爪チップを形状記憶効果を利用して湾曲状態に復元させて完成品にする第５工程を経てつけ爪を製造するようにした。
【選択図】図２【図１】
0005838277.tif 000002
【図２】
0005838277.tif 000003
【図３】
0005838277.tif 000004
【図４】
0005838277.tif 000005
【図５】
0005838277.tif 000006
【図６】
0005838277.tif 000007
【図７】
0005838277.tif 000008
【図８】
0005838277.tif 000009
【図９】
0005838277.tif 000010
【図１０】
0005838277.tif 000011
【図１１】
0005838277.tif 000012
【図１２】
0005838277.tif 000013
【図１３】
0005838277.tif 000014
【図１４】
0005838277.tif 000015